(57)【要約】      （修正有）【課題】光ディスクに記録された情報を再生するまたは光ディスクに情報を記録するとき、特別な作業を伴わず、また、ファン等の部品も必要としないでピックアップ部が備えるレンズに埃が付着することを防止することができる光ディスク装置を提供する。【解決手段】光ディスクを載置するターンテーブル１と、前記ターンテーブル１を回転する回転駆動部２と、前記ターンテーブル１に載置された光ディスクにレーザ光を照射し光ディスクから反射したレーザ光を受光するレンズ２２を有するピックアップ部５を備え、前記ピックアップ部５は、前記回転駆動部２が光ディスクを回転することにより発生する気流を取り込む吸気口５１と前記吸気口５１の開口面積より小さい開口面積を有し前記吸気口５１が取り込んだ気流を前記レンズ２２の上方へ排気する排気口５２を備える。【選択図】  図２
2005149652.tif 000002
【特許請求の範囲】
【請求項１】
光ディスクを載置するターンテーブルと、前記ターンテーブルを回転する回転駆動部と、
前記ターンテーブルに載置された光ディスクにレーザ光を照射し光ディスクから反射したレーザ光を受光するレンズを有するピックアップ部を備え、
前記ピックアップ部は、前記回転駆動部が光ディスクを回転することにより発生する気流を取り込む吸気口と前記吸気口の開口面積より小さい開口面積を有し前記吸気口が取り込んだ気流を前記レンズの上方へ排気する排気口を備えることを特徴とする光ディスク装置。
【請求項２】
光ディスクを載置するターンテーブルと、前記ターンテーブルを回転する回転駆動部と、
前記ターンテーブルに載置された光ディスクにレーザ光を照射し光ディスクから反射したレーザ光を受光するレンズを有するピックアップ部を備え、
前記ピックアップ部は、前記回転駆動部が光ディスクを回転することにより発生する気流を取り込む吸気口と前記吸気口の開口面積より小さい開口面積を有し前記吸気口が取り込んだ気流を前記レンズの上面へ排気する排気口を備えることを特徴とする光ディスク装置。
【請求項３】
請求項２記載の光ディスク装置において、前記排気口は、前記レンズ上面の径方向に気流を排気する位置に設けられることを特徴とする光ディスク装置。
【請求項４】
請求項２または請求項３記載の光ディスク装置において、前記ピックアップ部は、前記レンズに対し前記排気口と対向した位置に傾斜部を備えることを特徴とする光ディスク装置。
【請求項５】
請求項１乃至請求項４のいずれか１項に記載の光ディスク装置において、
前記吸気口は、光ディスクの回転方向と対向した位置に設けられることを特徴とする光ディスク装置。
【発明の詳細な説明】
【技術分野】
【０００１】
本発明は、コンパクトディスク（Compact Disc（以下、CDという。））、ミニディスク（Mini Disc（以下、MDという。））及びデジタルバーサタイルディスク（Digital Versatile Disc（以下DVDという。））等の光ディスクに記録された情報を再生し、または、光ディスクに情報を記録する光ディスク装置に関する。
【背景技術】
【０００２】
従来の光ディスク装置は、光ディスクに記録された情報を再生し、または、光ディスクに情報を記録するために、光ディスクを所定の線速度で回転し、光ディスクと対向する位置にあるピックアップ部からレーザ光を光ディスクに照射し光ディスクから反射したレーザ光を受光する。
【０００３】
光ディスク装置として、CDプレーヤを例に挙げて従来技術を説明する。
図５は、従来のCDプレーヤが備える回転駆動部の上面図を示す。回転駆動部は、ターンテーブル１、ピックアップ部５、平板２３、保持部２５、図示しないピックアップ駆動部等を備える。ターンテーブル１及びピックアップ部５は、保持部２５に保持された平板２３の上面に設けられる。ピックアップ部５は、レーザ光を照射するレンズ２２を備えており、ターンテーブル１に載置したCDの情報面に対向する位置に設けられている。
【０００４】
ターンテーブル１は、CDを載置する。ターンテーブル１は、CDプレーヤが備える図示しない操作部から入力される再生開始の指示により回転する。CDは、ターンテーブル１が回転することにより、図５に示した回転方向に所定の線速度で回転する。ピックアップ部５は、レンズ２２からCDにレーザ光を照射して、CDから反射したレーザ光を受光することにより、CDに記録された情報を再生する。また、ピックアップ部５は、ピックアップ駆動部によりCDの径方向にスライドされる。
【０００５】
CDをターンテーブル１に載置する場合またはターンテーブル１からCDを取り出す場合、CDプレーヤの外部から内部に埃が侵入することがある。このため、図５に示すように、CDが回転することにより発生する気流２４は、CDプレーヤ内部に侵入した埃を散乱させる。気流２４により散乱した埃は、ピックアップ部５のレンズ２２に付着することがある。
【０００６】
レンズ２２に埃が付着すると、CDに記録されている情報を正確に再生することができなくなる虞がある。CDに記録された情報を正確に再生できない場合、このCDプレーヤの使用者は、レンズ２２に付着した埃を除去するため、レンズ２２の清掃をする必要があった。
【０００７】
この課題を解決するために、装置外部から圧縮ガスを注入する注入口と、当該注入口から注入された圧縮ガスをピックアップのレンズに噴射するチューブを有し、注入口から圧縮ガスを注入することによってレンズに付着した埃を除去する機能を有する光ディスク装置がある（例えば、特許文献１参照）。
【０００８】
また、筐体の外部からエアフィルタを介して空気を吸い込む吸い込みファンを備え、この吸い込みファンにより吸い込んだ空気をピックアップ部のレンズ等に噴射することによってレンズに埃が付着するのを防止する機能を有する光ピックアップ装置がある（例えば、特許文献２参照）。
【０００９】
特許文献１に開示された光ディスク装置によれば、注入口から圧縮ガスを注入することにより、レンズに付着した埃を除去することができる。また、特許文献２に開示された光ピックアップ装置によれば、吸い込みファンがレンズへ空気を噴射することによってレンズに埃が付着するのを防止することができる。
【００１０】
【特許文献１】特開平６−８９５６３号公報
【特許文献２】特開平５−２９８７３４号公報
【発明の開示】
【発明が解決しようとする課題】
【００１１】
しかし、特許文献１に開示された光ディスク装置は、定期的に光ディスク装置の外部から圧縮ガスを注入する作業を行なわなければならず、この作業が煩わいという課題がある。また、特許文献２に開示された光ピックアップ装置は、吸い込みファンを備える必要があるため、装置の部品数、製造工程数が増え、製造コストが高くなるという課題がある。
【００１２】
本発明は、光ディスク装置において、光ディスクに記録された情報を再生するまたは光ディスクに情報を記録するとき、特別な作業を伴わず、また、ファン等の部品も必要としないでピックアップ部が備えるレンズに埃が付着することを防止することができる光ディスク装置を提供すること目的とする。
【課題を解決するための手段】
【００１３】
本願の請求項１記載の発明は、光ディスク装置において、光ディスクを載置するターンテーブルと、前記ターンテーブルを回転する回転駆動部と、前記ターンテーブルに載置された光ディスクにレーザ光を照射し光ディスクから反射したレーザ光を受光するレンズを有するピックアップ部を備え、前記ピックアップ部は、前記回転駆動部が光ディスクを回転することにより発生する気流を取り込む吸気口と前記吸気口の開口面積より小さい開口面積を有し前記吸気口が取り込んだ気流を前記レンズの上方へ排気する排気口を備えることを特徴とする。
【００１４】
本願の請求項２記載の発明は、光ディスク装置において、光ディスクを載置するターンテーブルと、前記ターンテーブルを回転する回転駆動部と、前記ターンテーブルに載置された光ディスクにレーザ光を照射し光ディスクから反射したレーザ光を受光するレンズを有するピックアップ部を備え、前記ピックアップ部は、前記回転駆動部が光ディスクを回転することにより発生する気流を取り込む吸気口と前記吸気口の開口面積より小さい開口面積を有し前記吸気口が取り込んだ気流を前記レンズの上面へ排気する排気口を備えることを特徴とする。
【００１５】
本願の請求項３記載の発明は、請求項２記載の光ディスク装置において、前記排気口は、前記レンズ上面の径方向に気流を排気する位置に設けられることを特徴とする。
【００１６】
本願の請求項４記載の発明は、請求項２または請求項３記載の光ディスク装置において、前記ピックアップ部は、前記レンズに対し前記排気口と対向した位置に傾斜部を備えることを特徴とする。
【００１７】
本願の請求項５記載の発明は、請求項１乃至請求項４のいずれか１項に記載の光ディスク装置において、前記吸気口は、光ディスクの回転方向と対向した位置に設けられることを特徴とする。
【発明の効果】
【００１８】
本発明の光ディスク装置によれば、光ディスク装置において、光ディスクに記録された情報を再生するまたは光ディスクに情報を記録するとき、特別な作業を伴わず、また、ファン等の部品も必要としないでピックアップ部が備えるレンズに埃が付着することを防止することができる光ディスク装置を提供することができる。
【発明を実施するための最良の形態】
【００１９】
以下、本発明の実施の形態を図面に基づいて説明する。
図１は、本発明の光ディスク装置の一実施例を示すブロック図である。本実施例の光ディスク装置は、オーディオデータが記録されたCDを再生するCDプレーヤである。
【００２０】
図１において、１はターンテーブル、２は回転駆動部、３はサーボ制御部、４はピックアップ駆動部、５はピックアップ部、６は再生アンプ、７は信号処理部、８はデジタルアナログコンバータ（Digital to Analog Converter（以下、DACという。）、９はアンプ、１０は出力部、１１は制御部、１２は操作部、１３は表示部を示す。
【００２１】
回転駆動部２は、ターンテーブル１を回転させる。ターンテーブル１は、CDを載置する。サーボ制御部３は、操作部１２から再生開始の指示が入力されると、回転駆動部２を所定の線速度で回転駆動させる制御をする。サーボ制御部３は、ピックアップ部５からのレーザ光をCDのピット列を正しくトレースするために、図示しないフォーカスサーボ回路とトラッキングサーボ回路を制御する。ピックアップ駆動部４は、サーボ制御部３の制御によりピックアップ部５をCDの径方向にスライドする。
【００２２】
ピックアップ部５が再生したデジタルオーディオデータは、再生アンプ６により波形整形及び増幅され信号処理部７に入力される。信号処理部６は、デジタルオーディオデータの復調、フォーカスエラー信号やトラッキングエラー信号等のエラー信号、同期信号の抜き出し等をしてデジタルオーディオデータをDAC８に入力する。
【００２３】
DAC８は、デジタルオーディオデータをアナログオーディオ信号に変換しアンプ９に入力する。DAC８から入力されたアナログオーディオ信号は、アンプ９により増幅され出力部１０に接続したスピーカ等から出力される。
【００２４】
操作部１２は、再生ボタン、再生停止ボタン、早送りボタン、早戻しボタン等を備えている。表示部１３は、現在再生しているトラックの再生時間、トラックナンバー等を表示する。
【００２５】
図２は、本実施例の光ディスク装置の回転駆動部２を示す図で、図２（ａ）は上面図、（ｂ）は側面図である。
【００２６】
回転駆動部２は、平板２３及び保持部２５を備える。ターンテーブル１及びピックアップ部５は、平板２３の上面に設けられている。ピックアップ部５は、直方体を成し、上面の略中央に凹部５０１を備える。レンズ２２は、凹部５０１の略中央に配設されている。平板２３は、ターンテーブル１及びピックアップ部５に外力による振動の伝達を防ぐために、保持部２５とバネまたはゴム等の弾性体を介して保持されている。
【００２７】
ピックアップ部５は、CDの回転方向と対向する方向の側面（図２（ｂ）に示すピックアップ部５の右側面）から凹部５０１に近接し当該凹部５０１からCDの回転方向に対向する方向の上面へ貫通する気流孔５０を備える。気流孔５０は、CDの回転によって発生した気流２４を取り込む吸気口５１と当該吸気口５１から取り込んだ気流２４を排出する排気口５２を備えている。図２（ａ）及び図２（ｂ）に示すように、排気口５２の開口面積は、吸気口５１の開口面積より小さい。
【００２８】
図３は、本実施例の光ディスク装置において、回転駆動部２によってCDを回転させた場合を示す断面図である。
図２及び図３に示すように、ターンテーブル１に載置されたCDが回転することによって気流２４が発生する。気流２４は、光ディスク装置の周囲に浮遊した埃と共にCDの回転方向と同じ方向に流動する。CDの回転方向に流動した気流２４の一部は吸気口５１に取り込まれる。このとき、気流孔５０は、排気口５２の開口面積が吸気口５１の開口面積より小さいことにより、排気口５２から排出される気流２４の速度は、吸気口５１から取り込まれたときよりも高速になる。
【００２９】
排気口５２から排出された気流２４は、レンズ２２の上方へ排出される。このとき、排気口５２から排出された気流２４は、吸気口５１に取り込まれずにレンズ２２の上方を通過する気流２４をレンズ２２の上方へ巻き上げる。これにより、吸気口５１に取り込まれずにレンズ２２の上方を通過する気流２４に含まれる埃と排気口５２から排出された気流２４に含まれる埃はレンズ２２に衝突しないため、レンズ２２に付着しない。
【００３０】
したがって、本実施例の光ディスク装置は、CDの回転によって発生した気流２４に含まれる埃がレンズ２２に付着することを防止することができる。
【００３１】
図４は、本発明の光ディスク装置の他の実施例を示す図で、回転駆動部２によってCDを回転させた場合を示す断面図である。
【００３２】
回転駆動部２は、平板２３及び図示しない保持部を備える。ターンテーブル１及びピックアップ部５は、平板２３の上面に設けられている。ピックアップ部５は、直方体を成し、上面の略中央に凹部５０１を備える。ピックアップ部５は、CDの回転方向の凹部５０１の側面（図４に示す凹部５０１の左側面）に傾斜部５０２を備える。レンズ２２は、凹部５０１の略中央に配設されている。
【００３３】
ピックアップ部５は、CDの回転方向と対向する方向の側面（図４に示すピックアップ部５の右側面）から凹部５０１の側面へ貫通する気流孔５０を備える。気流孔５０は、CDの回転によって発生した気流２４を取り込む吸気口５１と当該吸気口５１から取り込んだ気流２４を排出する排気口５２を備えている。排気口５２は、レンズ２２より上方となる凹部５０１の側面に配設される。図４に示すように、排気口５２の開口面積は、吸気口５１の開口面積より小さい。
【００３４】
ターンテーブル１に載置されたCDが回転することによって気流２４が発生する。気流２４は、光ディスク装置の周囲に浮遊した埃と共にCDの回転方向と同じ方向に流動する。CDの回転方向に流動した気流２４の一部は吸気口５１に取り込まれる。このとき、気流孔５０は、排気口５２の開口面積が吸気口５１の開口面積より小さいことにより、排気口５２から排出される気流２４の速度は、吸気口５１から取り込まれたときよりも高速になる。
【００３５】
排気口５２から排出された気流２４は、レンズ２２の上面の位置（図４に示す左方向）へ排出される。このとき、排気口５２から排出された気流２４は、レンズ２２の上面へ吹きつけられ、傾斜部５０２の上面へ流動する。この気流２４は、レンズ２２の上面に付着した埃を除去する。
【００３６】
したがって、当該他の実施例の光ディスク装置は、光ディスクを回転させていない間に埃がレンズ２２へ付着しても、光ディスクを回転させることによって、レンズ２２に付着した埃を除去すると共に、光ディスクを回転させている間、埃がレンズ２２へ付着するのを防止することができる。
【００３７】
上述した実施例は、光ディスクに記録された情報を再生する再生装置について説明したが、光ディスクに情報を記録する記録装置でも、同様に本発明を実施することができる。
【図面の簡単な説明】
【００３８】
【図１】本発明の光ディスク装置の一実施例を示すブロック図。
【図２】本実施例の光ディスク装置の回転駆動部２を示す図で、図２（ａ）は上面図、（ｂ）は側面図。
【図３】本実施例の光ディスク装置において、回転駆動部２によってCDを回転させた場合を示す断面図。
【図４】本発明の光ディスク装置の他の実施例を示す図で、回転駆動部２によってCDを回転させた場合を示す断面図。
【図５】従来の光ディスク装置の一例であるCDプレーヤが備える回転駆動部の上面図。
【符号の説明】
【００３９】
１  ターンテーブル、２  回転駆動部、３  サーボ制御部、４  ピックアップ駆動部、
５  ピックアップ部、６  再生アンプ、７  信号処理部、８  DAC、９  アンプ、
１０  出力部、１１  制御部、１２  操作部、１３  表示部、２２  レンズ、
２３  平板、２４  気流、２５  保持部、５０  気流孔、５１  吸気口、
５２  排気口、５０１  凹部、５０２  傾斜部
【図１】
2005149652.tif 000003
【図２】
2005149652.tif 000004
【図３】
2005149652.tif 000005
【図４】
2005149652.tif 000006
【図５】
2005149652.tif 000007